(57)【特許請求の範囲】
【請求項１】
開口部が形成された筐体および前記開口部が閉じられる閉位置と前記開口部が開く開位置との間で移動する前扉を有し、昇降路に設けられる制御盤と、
かごに支持された安全柵に設けられ、前記安全柵と前記制御盤とに渡って配置される架橋位置と前記制御盤から離れる離間位置との間で移動する支持板と
を備え、
前記前扉は、前記支持板の位置が前記架橋位置である場合であって、前記前扉が前記閉位置と前記開位置との間で移動する場合に、前記支持板および前記安全柵に支持されるエレベータ装置。
【請求項２】
前記制御盤は、前記閉位置にある前記前扉が前記筐体に対して固定される施錠位置と前記前扉が前記閉位置と前記開位置との間で移動可能となる開錠位置との間で移動する錠装置を有し、
前記錠装置の位置は、前記支持板の位置が前記架橋位置である場合に、前記開錠位置となる請求項１に記載のエレベータ装置。
【請求項３】
前記制御盤は、前記前扉に設けられ前記前扉が前記閉位置と前記開位置との間で移動する場合に前記支持板および前記安全柵を摺動する前扉用摺動装置を有し、
前記前扉は、前記前扉用摺動装置を介して前記支持板および前記安全柵に支持される請求項１または請求項２に記載のエレベータ装置。
【請求項４】
前記前扉用摺動装置は、前記前扉に対する高さ方向の位置が調整可能である請求項３に記載のエレベータ装置。
【請求項５】
前記前扉用摺動装置は、前記前扉の位置が前記開位置である場合に、前記安全柵に対して固定可能である請求項３または請求項４に記載のエレベータ装置。
【請求項６】
前記制御盤は、前記筐体の内部に配置される収納位置と前記筐体から前記筐体の外部に向かって突出する突出位置との間で移動する内部ユニットを有し、
前記内部ユニットは、前記支持板の位置が前記架橋位置である場合であって、前記内部ユニットが前記収納位置と前記突出位置との間で移動する場合に、前記支持板および前記安全柵に支持される請求項１から請求項５までの何れか一項に記載のエレベータ装置。
【請求項７】
前記制御盤は、前記内部ユニットに設けられ前記内部ユニットが前記収納位置と前記突出位置との間で移動する場合に前記支持板および前記安全柵を摺動する内部ユニット用摺動装置を有し、
前記内部ユニットは、前記内部ユニット用摺動装置を介して前記支持板および前記安全柵に支持される請求項６に記載のエレベータ装置。
【請求項８】
前記内部ユニット用摺動装置は、前記内部ユニットに対する高さ方向の位置が調整可能である請求項７に記載のエレベータ装置。
【請求項９】
前記内部ユニット用摺動装置は、前記内部ユニットの位置が前記突出位置である場合に、前記安全柵に対して固定可能である請求項７または請求項８に記載のエレベータ装置。
【発明の詳細な説明】
【技術分野】
【０００１】
この発明は、制御盤が昇降路に設置されたエレベータ装置に関する。
【背景技術】
【０００２】
従来、エレベータ装置として、昇降路を昇降するかごと、昇降路に設置された制御盤とを備えたものが知られている。制御盤の保守点検時には、かごを制御盤に近づけて、作業者がかごの天井上部に乗り込み、作業者が制御盤に面するように構成されている（例えば、特許文献１参照）。
【先行技術文献】
【特許文献】
【０００３】
【特許文献１】特開２００４−９１０５９号公報
【発明の概要】
【発明が解決しようとする課題】
【０００４】
しかしながら、制御盤が、開口部が形成された筐体と開口部を開閉する前扉とを有している場合には、制御盤の保守点検時に前扉を閉位置から開位置に移動させる。これにより制御盤の保守点検時に前扉の自重によって筐体が撓むという課題があった。【０００５】
この発明は、上述のような課題を解決するためになされたものであり、その目的は、制御盤の保守点検時に制御盤の筐体が前扉の自重によって撓むことを抑制することができるエレベータ装置を提供するものである。
【課題を解決するための手段】
【０００６】
この発明に係るエレベータ装置は、開口部が形成された筐体および開口部が閉じられる閉位置と開口部が開く開位置との間で移動する前扉を有し、昇降路に設けられる制御盤と、かごに支持された安全柵に設けられ、安全柵と制御盤とに渡って配置される架橋位置と制御盤から離れる離間位置との間で移動する支持板とを備え、前扉は、支持板の位置が架橋位置である場合であって、前扉が閉位置と開位置との間で移動する場合に、支持板および安全柵に支持される。
【発明の効果】
【０００７】
この発明に係るエレベータ装置によれば、前扉が閉位置と開位置との間で移動する場合に前扉が支持板および安全柵に支持されるので、制御盤の保守点検時に制御盤の筐体が前扉の自重によって撓むことを抑制することができる。
【図面の簡単な説明】
【０００８】
【図１】この実施の形態１に係るエレベータ装置の制御盤を示す正面図である。
【図２】図１の制御盤を示す平面図である。
【図３】図１の制御盤を示す側面図である。
【図４】図１の制御盤を示す底面図である。
【図５】図１の制御盤を示す底面図である。
【図６】図１のＡ部を示す拡大図である。
【図７】図６の固定板、錠装置およびワイヤーカバーを示す側面図である。
【図８】図６の固定板、錠装置およびワイヤーカバーを示す底面図である。
【図９】図１の前扉の位置が開位置となっている状態を示す図である。
【図１０】図９の制御盤を示す平面図である。
【図１１】図９のＢ部を示す拡大図である。
【図１２】図９のＣ部を示す拡大図である。
【図１３】この発明の実施の形態１に係るエレベータ装置を示す正面図である。
【図１４】図１３のエレベータ装置を示す平面図である。
【図１５】図１３のエレベータ装置を示す側面図である。
【図１６】図１３のＤ部を示す拡大図である。
【図１７】図１３の前扉が開位置にある状態のエレベータ装置を示す正面図である。
【図１８】図１７のエレベータ装置を示す平面図である。
【図１９】図１７のエレベータ装置を示す側面図である。
【図２０】図１７のＥ部を示す拡大図である。
【図２１】図１９のＦ部を示す拡大図である。
【図２２】図１７のＧ部を示す拡大図である。
【図２３】図１７のＨ部を示す拡大図である。
【図２４】図２２のレベルアジャスタおよびローレットねじが支持板の上面に接する状態を示す図である。
【図２５】図２３のレベルアジャスタおよびローレットねじが支持板の上面に接する状態を示す図である。
【発明を実施するための形態】
【０００９】
この発明の実施の形態に係るエレベータ装置を図に基づいて説明する。なお、各図において、同一または相当する部分には、同一の符号を付し、重複部分の説明は、適宜に簡略または省略する。
【００１０】
実施の形態１．
図１は、この発明の実施の形態１に係るエレベータ装置の制御盤を示す正面図、図２は、図１の制御盤を示す平面図、図３は、図１の制御盤を示す側面図、図４は、図１の制御盤を示す底面図、図５は、図１のＶ−Ｖ線に沿った矢視断面図である。この発明の実施の形態１に係るエレベータ装置は、昇降路に設置される制御盤１を備えている。制御盤１は、開口部が形成された筐体２と、筐体２に設けられ、筐体２の開口部を開閉する前扉３とを備えている。筐体２には、図示しない第１ヒンジが設けられている。第１ヒンジは、高さ方向に延びる第１回動軸を有している。前扉３は、第１ヒンジを介して筐体２に取り付けられている。前扉３は、前扉３が第１ヒンジの第１回動軸を中心に回動することによって、筐体２の開口部が閉じられる閉位置と筐体２の開口部が開く開位置との間で移動する。
【００１１】
また、制御盤１は、筐体２の内部に設けられた内部ユニット４を備えている。筐体２の内部には、図示しない第２ヒンジが設けられている。第２ヒンジは、高さ方向に延びる第２回動軸を有している。内部ユニット４は、第２ヒンジを介して筐体２に取り付けられている。内部ユニット４は、第２ヒンジの第２回動軸を中心に回動することによって、筐体２の内部に配置される収納位置と筐体２から筐体２の外部に向かって突出する突出位置との間で移動する。
【００１２】
また、制御盤１は、筐体２の上部に取り付けられた固定板５と、筐体２の下部に取り付けられた固定板６とを備えている。固定板５および固定板６は、図示しないアタッチメントを用いて、昇降路の壁または昇降路に設けられたガイドレールに取り付けられる。制御盤１は、固定板５および固定板６が昇降路の壁または昇降路に設けられたガイドレールに取り付けられることによって、昇降路に対して固定される。
【００１３】
また、制御盤１は、筐体２と前扉３とに設けられた錠７を備えている。錠７は、閉位置にある前扉３が筐体２に対して固定される施錠位置と、前扉３が閉位置および開位置の間で移動可能となる開錠位置との間で移動する。錠７は、作業者が手動で錠７を移動させることによって、施錠位置と開錠位置との間で移動する。
【００１４】
また、制御盤１は、筐体２の内部に設けられた錠装置８を備えている。錠装置８は、閉位置にある前扉３が筐体２に対して固定される施錠位置と、前扉３が閉位置および開位置の間で移動可能となる開錠位置との間で移動する。錠装置８は、筐体２の一部と前扉３の一部との挟み込みが可能な錠本体８１と、錠本体８１から下方の延びるワイヤー部８２とを有している。ワイヤー部８２は、錠本体８１から固定板６まで延びている。錠本体８１による筐体２の一部と前扉３の一部との挟み込みは、ワイヤー部８２が下方に引っ張られることによって解除される。錠装置８の位置は、錠本体８１が筐体２の一部と前扉３の一部とを挟み込む場合に施錠位置となり、錠本体８１による筐体２の一部と前扉３の一部との挟み込みが解除された場合に開錠位置となる。
【００１５】
また、制御盤１は、固定板６に取り付けられたワイヤーカバー９を備えている。図６は、図１のＡ部を示す拡大図、図７は、図６の固定板６、錠装置８およびワイヤーカバー９を示す側面図、図８は、図６の固定板６、錠装置８およびワイヤーカバー９を示す底面図である。ワイヤーカバー９は、固定板６とともに錠装置８のワイヤー部８２の下端部の周囲を囲むようになっている。ワイヤーカバー９におけるワイヤー部８２に対向する部分には、開口部９１が形成されている。ワイヤーカバー９がワイヤー部８２の下端部を囲うことによって、ワイヤー部８２が外部から不用意に下方へ引っ張られることが防止されている。
【００１６】
図４に示すように、前扉３は、水平面に沿った底板部を有している。前扉３の底板部には、前扉３の幅方向に延びる長穴３０１が形成されている。また、図５に示すように、内部ユニット４は、水平面に沿った底板部を有している。内部ユニット４の底板部には、内部ユニット４の幅方向に延びる長穴４０１が形成されている。
【００１７】
図９は、図１の前扉３の位置が開位置となっている状態を示す図、図１０は、図９の制御盤１を示す平面図、図１１は、図９のＢ部を示す拡大図、図１２は、図９のＣ部を示す拡大図である。制御盤１は、上下方向に延びて設けられ前扉３の底板部の長穴３０１に上方から挿入されたローレットねじ１０と、ローレットねじ１０の上下方向中間部に取り付けられたローレットナット１１とを備えている。また、制御盤１は、ローレットねじ１０の上下方向下端部に取り付けられたレベルアジャスタ１２と、ローレットねじ１０におけるローレットナット１１およびレベルアジャスタ１２の間の部分に取り付けられたレベルアジャスタ１３とを備えている。ローレットナット１１は、前扉３の底板部の上面に接触している。レベルアジャスタ１３は、前扉３の底板部の下面に接触している。ローレットナット１１、レベルアジャスタ１２およびレベルアジャスタ１３のそれぞれには、ローレットねじ１０が挿入されるねじ孔が形成されている。ローレットナット１１およびレベルアジャスタ１３に対するローレットねじ１０の高さ方向の位置を調整することによって、前扉３に対するローレットねじ１０の高さ方向の位置が調整される。ローレットねじ１０、ローレットナット１１、レベルアジャスタ１２およびレベルアジャスタ１３から前扉用摺動装置が構成されている。
【００１８】
また、制御盤１は、上下方向に延びて設けられ内部ユニット４の底板部の長穴４０１に上方から挿入されたローレットねじ１４と、ローレットねじ１４の上下方向中間部に取り付けられたローレットナット１５とを備えている。また、制御盤１は、ローレットねじ１４の上下方向下端部に取り付けられたレベルアジャスタ１６と、ローレットねじ１４におけるローレットナット１５およびレベルアジャスタ１６の間の部分に取り付けられたレベルアジャスタ１７とを備えている。ローレットナット１５は、内部ユニット４の底板部の上面に接触している。レベルアジャスタ１７は、内部ユニット４の底板部の下面に接触している。ローレットナット１５、レベルアジャスタ１６およびレベルアジャスタ１７のそれぞれには、ローレットねじ１４が挿入されるねじ孔が形成されている。ローレットナット１５およびレベルアジャスタ１７に対するローレットねじ１４の高さ方向の位置を調整することによって、内部ユニット４に対するローレットねじ１４の高さ方向の位置が調整される。ローレットねじ１４、ローレットナット１５、レベルアジャスタ１６およびレベルアジャスタ１７から内部ユニット用摺動装置が構成されている。
【００１９】
図１３は、この発明の実施の形態１に係るエレベータ装置を示す正面図、図１４は、図１３のエレベータ装置を示す平面図、図１５は、図１３のエレベータ装置を示す側面図、図１６は、図１３のＤ部を示す拡大図である。この発明の実施の形態１に係るエレベータ装置は、昇降路を昇降するかご１８と、かご１８よりも上方に設けられ、かご１８に支持された安全柵１９と備えている。
【００２０】
また、エレベータ装置は、安全柵１９の上面に取り付けられ水平方向に延びる支持板２０と、支持板２０の長手方向一端部を安全柵１９に固定するための取付ねじ２１と、支持板２０の長手方向他端部を安全柵１９に固定するためのローレットねじ２２と、支持板２０に隣り合うように安全柵１９の上面に取り付けられたスイッチ２３とを備えている。スイッチ２３は、作業者が支持板２０を操作することによって支持板２０が移動する場合に、作業者によって操作される。スイッチ２３は、作業者に操作されることによって、ＯＮ状態とＯＦＦ状態との間で状態が変化する。スイッチ２３はエレベータ装置の安全回路に接続されている。スイッチ２３が操作されて、スイッチ２３の状態がＯＮ状態からＯＦＦ状態に変化すると、かご１８が昇降できないようになっている。なお、スイッチ２３は、作業者が支持板２０を操作することによって支持板２０が移動する場合に、支持板２０の移動を検知して、スイッチ２３の状態がＯＮ状態とＯＦＦ状態との間で変化する構成であってもよい。この場合、作業者が支持板２０を操作することによって支持板２０が移動する場合に、作業者がスイッチ２３を操作することなく、かご１８が昇降できなくなる。安全柵１９には、上下方向に貫通した長穴１９１が形成されている。長穴１９１は、かご１８の幅方向に延びて形成されている。
【００２１】
安全柵１９の上面の一部には、凹部１９２が形成されている。凹部１９２の深さ方向寸法は、支持板２０の高さ方向寸法と一致している。
【００２２】
次に、制御盤１の保守点検が行われる場合のエレベータ装置の動作について説明する。図１７は、図１３の前扉３が開位置にある状態のエレベータ装置を示す正面図、図１８は、図１７のエレベータ装置を示す平面図、図１９は、図１７のエレベータ装置を示す側面図、図２０は、図１７のＥ部を示す拡大図、図２１は、図１９のＦ部を示す拡大図、図２２は、図１７のＧ部を示す拡大図、図２３は、図１７のＨ部を示す拡大図である。図１８では、筐体２の上板部におけるかご１８側の部分を取り除いてエレベータ装置を示している。前扉３の位置が開位置である場合に、内部ユニット４は、筐体２の内部に収納される収納位置と筐体２から筐体２の外部に向かって突出する突出位置との間で移動可能となる。
【００２３】
制御盤１の保守点検が行われる際に、作業者は、かご１８の上部に乗り込み、ワイヤーカバー９の開口部９１の高さ方向位置と安全柵１９の上面の高さ方向位置とが一致するようにかご１８を昇降させる。
【００２４】
ワイヤーカバー９の開口部９１の高さ方向位置と安全柵１９の上面の高さ方向位置とが一致する場合には、支持板２０は、安全柵１９および制御盤１に渡って配置される架橋位置と制御盤１から離れる離間位置との間で移動可能となる。取付ねじ２１を支持板２０から取り外し、ローレットねじ２２を緩めることによって、支持板２０は、移動可能となる。作業者が支持板２０を離間位置から架橋位置に移動させる場合には、作業者はスイッチ２３を操作する。これにより、エレベータ装置の安全回路が動作して、かご１８の昇降が停止される。
【００２５】
作業者が支持板２０を離間位置から架橋位置に移動させると、支持板２０の長手方向一端部がワイヤーカバー９の開口部９１に挿入される。これにより、錠装置８のワイヤー部８２が下方に引っ張られ、錠装置８が施錠位置から開錠位置に移動する。これにより、前扉３は、閉位置から開位置に移動可能となる。このような構造とすることで、制御盤１の高さ方向位置と、かご１８の高さ方向位置とが予め決められた関係にある場合以外では、前扉３が閉位置から開位置に移動することができない。
【００２６】
支持板２０の長手方向他端部の下端部は面取りされている。ワイヤーカバー９の開口部９１に支持板２０の長手方向一端部が挿入された場合に、支持板２０の長手方向他端部は安全柵１９の凹部１９２に収納される。支持板２０の長手方向他端部が安全柵１９の凹部１９２に収納されることによって、安全柵１９の上面と支持板２０の上面とが同一平面上に配置される。
【００２７】
その後、作業者は、錠７を施錠位置から開錠位置に移動させ、前扉３を閉位置から開位置に移動させる。前扉３を閉位置から開位置に移動させる場合に、作業者は、ローレットナット１１およびレベルアジャスタ１３を操作して、レベルアジャスタ１２が支持板２０の上面に接するように、前扉３に対するローレットねじ１０の高さ方向位置を調整する。図２４は、図２２のレベルアジャスタ１２およびローレットねじ１０が支持板２０の上面に接する状態を示す図である。
【００２８】
前扉３の底板部に長穴３０１が形成されている。長穴３０１にローレットねじ１０が挿入されている。これにより、前扉３が閉位置から開位置に移動する場合に、レベルアジャスタ１２は、支持板２０および安全柵１９に対して摺動する軌道Ｐ１を移動できる。これにより、前扉３をかご１８に支持させながら、前扉３を移動させることができる。
【００２９】
安全柵１９に形成された長穴１９１にローレットねじ１０を挿入し、ローレットねじ１０に下方からローレットナット２４を締めこむことによって、前扉３は安全柵１９に対して固定される。これにより、安定した状態で、作業者は制御盤１の保守点検作業を行うことができる。ローレットナット２４は、前扉用摺動装置に含まれる。
【００３０】
その後、作業者は、内部ユニット４を収納位置から突出位置に移動させる。内部ユニット４を収納位置から突出位置に移動させる場合に、作業者は、ローレットナット１５およびレベルアジャスタ１７を操作して、レベルアジャスタ１６が支持板２０の上面に接するように、内部ユニット４に対するローレットねじ１４の高さ方向位置を調整する。図２５は図２３のレベルアジャスタ１２およびローレットねじ１０が支持板２０の上面に接する状態を示す図である。
【００３１】
内部ユニット４の底板部に長穴４０１が形成されている。長穴４０１にローレットねじ１４が挿入されている。これにより、内部ユニット４が収納位置から突出位置に移動する場合に、レベルアジャスタ１６は、支持板２０および安全柵１９に対して摺動する軌道Ｐ２を移動できる。これにより、内部ユニット４をかご１８に支持させながら、内部ユニット４を移動させることができる。
【００３２】
安全柵１９に形成された長穴１９１にローレットねじ１４を挿入し、ローレットねじ１４に下方からローレットナット２５を締めこむことによって、内部ユニット４は安全柵１９に対して固定される。これにより、安定した状態で、作業者は制御盤１の保守点検作業を行うことができる。ローレットナット２５は、内部ユニット用摺動装置に含まれる。
【００３３】
以上説明したように、この発明の実施の形態１に係るエレベータ装置によれば、前扉３が閉位置と開位置との間で移動する場合に、前扉３は、支持板２０および安全柵１９に支持される。これにより、保守点検時に制御盤１の筐体２が前扉３の自重によって撓むことを抑制することができる。また、前扉３は、かご１８に支持される。これにより、前扉３を補強する必要がない。これにより、制御盤１の製造コストの増加を抑制することができ、また、制御盤１の大型化を抑制することができる。
【００３４】
また、支持板２０の位置が架橋位置である場合に、錠装置８の位置が開錠位置となる。これにより、支持板２０の位置が架橋位置ではない場合に、錠装置８の位置が開錠位置となることを防止することができる。また、かご１８が予め決められた高さ方向位置にある場合にのみ、支持板２０の位置を架橋位置にすることができる。これにより、かご１８が予め決められた高さ方向位置に無い場合に、前扉３の位置が開位置となることを防止することができる。
【００３５】
また、レベルアジャスタ１２は、前扉３が閉位置と開位置との間で移動する場合に支持板２０および安全柵１９を摺動し、前扉３は、レベルアジャスタ１２を介して支持板２０および安全柵１９に支持される。これにより、前扉３が支持板２０および安全柵１９に接触することを防止することができる。
【００３６】
また、レベルアジャスタ１２は、前扉３に対する高さ方向の位置が調整可能である。これにより、レベルアジャスタ１２の高さ方向位置を、支持板２０および安全柵１９の高さ方向位置に合わせることができる。
【００３７】
また、ローレットねじ１０は、前扉３の位置が開位置である場合に、安全柵１９に対して固定可能である。これにより、作業者は、前扉３の裏面の保守点検作業を容易に行うことができる。
【００３８】
内部ユニット４が収納位置と突出位置との間で移動する場合に、内部ユニット４は、支持板２０および安全柵１９に支持される。これにより、保守点検時に内部ユニット４が内部ユニット４の自重によって撓むことを抑制することができる。また、内部ユニット４は、かご１８に支持される。これにより、内部ユニット４を補強する必要がない。これにより、制御盤１の製造コストの増加を抑制することができ、制御盤１の大型化を抑制することができる。
【００３９】
レベルアジャスタ１６は、内部ユニット４が収納位置と突出位置との間で移動する場合に支持板２０および安全柵１９を摺動し、内部ユニット４は、レベルアジャスタ１６を介して支持板２０および安全柵１９に支持される。これにより、内部ユニット４が支持板２０および安全柵１９に接触することを防止することができる。
【００４０】
また、レベルアジャスタ１６は、内部ユニット４に対する高さ方向の位置が調整可能である。これにより、レベルアジャスタ１６の高さ方向位置を、支持板２０および安全柵１９の高さ方向位置に合わせることができる。
【００４１】
また、ローレットねじ１４は、内部ユニット４の位置が突出位置である場合に、安全柵１９に対して固定可能である。これにより、作業者は、内部ユニット４の表裏両面および制御盤１の奥側の部分の保守点検作業を容易に行うことができる。
【００４２】
なお、上記実施の形態１では、内部ユニット４が筐体２に対して回動可能となっている構成について説明したが、内部ユニット４が筐体２に対して固定された構成であってもよい。また、上記実施の形態１では、１個の内部ユニット４を備えた制御盤１の構成について説明したが、複数個の内部ユニット４を備えた制御盤１の構成であってもよい。この場合、複数個の内部ユニット４のそれぞれが筐体２に対して回動可能であってもよい。
【符号の説明】
【００４３】
１  制御盤、２  筐体、３  前扉、４  内部ユニット、５  固定板、６  固定板、７  錠、８  錠装置、９  ワイヤーカバー、１０  ローレットねじ、１１  ローレットナット、１２  レベルアジャスタ、１３  レベルアジャスタ、１４  ローレットねじ、１５  ローレットナット、１６  レベルアジャスタ、１７  レベルアジャスタ、１８  かご、１９  安全柵、２０  支持板、２１  取付ねじ、２２  ローレットねじ、２３  スイッチ、２４  ローレットナット、２５  ローレットナット、８１  錠本体、８２  ワイヤー部、９１  開口部、１９１  長穴、１９２  凹部、３０１  長穴、４０１  長穴。
【図１】
0006710342.tif 000002
【図２】
0006710342.tif 000003
【図３】
0006710342.tif 000004
【図４】
0006710342.tif 000005
【図５】
0006710342.tif 000006
【図６】
0006710342.tif 000007
【図７】
0006710342.tif 000008
【図８】
0006710342.tif 000009
【図９】
0006710342.tif 000010
【図１０】
0006710342.tif 000011
【図１１】
0006710342.tif 000012
【図１２】
0006710342.tif 000013
【図１３】
0006710342.tif 000014
【図１４】
0006710342.tif 000015
【図１５】
0006710342.tif 000016
【図１６】
0006710342.tif 000017
【図１７】
0006710342.tif 000018
【図１８】
0006710342.tif 000019
【図１９】
0006710342.tif 000020
【図２０】
0006710342.tif 000021
【図２１】
0006710342.tif 000022
【図２２】
0006710342.tif 000023
【図２３】
0006710342.tif 000024
【図２４】
0006710342.tif 000025
【図２５】
0006710342.tif 000026